(57)【特許請求の範囲】
【請求項１】
表示部を有した移動体通信端末において、
大面積の窓と小面積の窓とを設けたケースと、
矩形状の大面積部に１つまたは複数の矩形状の小面積部を加えた複数の面積部の表示部に分割して仕切られたＬＣＤと、を備え、
前記ＬＣＤの大面積部と小面積部とは、前記小面積部の隣部にスペース確保用の切り欠き部が設けられるように配置され、
前記ケースと前記ＬＣＤとの間には、前記ＬＣＤの大面積部と小面積部の表示部を、前記ケースの大面積の窓と小面積の窓とから露出させる遮蔽部材を設け、
前記遮蔽部材は、前記ケースと前記ＬＣＤとの間に形成される隙間を遮蔽する仕切り部を設けることにより、前記大面積部と小面積部との境からの光を遮蔽し、前記大面積部と小面積部からの互いの光が入光してそれぞれの表示を見づらくすることを防ぐ構成を備える、
ことを特徴とする移動体通信端末。
【請求項２】
請求項１に記載の移動体通信端末において、
前記小面積部の隣部には、操作キーが配設されていることを特徴とする移動体通信端末。
【請求項３】
請求項１に記載の移動体通信端末において、
前記ケースを前記ＬＣＤ上に被せることにより、大面積の表示部と小面積の表示部とを分割して得るようにしたことを特徴とする移動体通信端末。
【請求項４】
請求項１に記載の移動体通信端末において、
前記遮蔽部材とケースとには、位置決め用の凹凸部を各々形成していることを特徴とする移動体通信端末。
【請求項５】
請求項１〜４いずれかに記載の移動体通信端末において、
前記ＬＣＤは、フィルムＬＣＤを用いて形成したことを特徴とする移動体通信端末。
【発明の詳細な説明】
【０００１】
【発明の属する技術分野】
本発明はＰＨＳ、携帯電話機などの移動体通信端末に係り、特にその表示部に関する。
【０００２】
【従来の技術】
近年、ＰＨＳ、携帯電話機などの移動体通信端末は、使用者が最も操作を容易にできるように、種々の機能を付加して多機能化されている。この多機能化された移動体通信端末は、例えば、操作キーにより複雑な操作を短縮するとともに、液晶表示部により操作段階に応じて使用者に種々の情報を与えて操作性を向上させていた。このような移動体通信端末は、多機能化に応じて増加する操作キーの数、および表示項目を効果的に配置して操作を円滑に行えるようにすることが要求されている。
【０００３】
図５は、従来の移動体通信端末である携帯電話機を示す正面図である。また図６は、図５に示した携帯電話機の内部部品を示す斜視図である。図５に示すように、従来の移動体通信端末である携帯電話機は、表面にスピーカ開口部１１ａ、液晶表示部１１ｂ、操作キー１１ｃ、マイク開口部１１ｄなどを配設したフロントケース１１と、バッテリを収納すべく、バッテリカバー１７ａを設けたリアケース１７とを備えている。このフロントケース１１とリアケース１７とは、嵌合することで携帯電話機のケース本体を形成している。
【０００４】
フロントケース１１の表面には、スピーカ、液晶表示部１１ｂ、操作キー１１ｃ、マイクなどを配設するため、複数の開口部を穿設している。ここで、液晶表示部１１ｂと操作キー１１ｃとの開口部には、図６に示すようにケース本体の内部で基板１５の上部に設置されたＬＣＤ１４と、キートップ１６とが露出している。このように、ＬＣＤ１４とキートップ１６とは、同一の基板１５上にお互い設置して動作する。ＬＣＤ１４は、電気的に動作させるため基板上に配線されている。また、キートップ１６は、基板１５上に設置して使用者により押されることで基板１５とキートップ１６が当接し、この当接により電気が流れて動作する。従って、ＬＣＤ１４とキートップ１６とは、同一の基板１５上において、お互いに各々スペースを設けて近接しないように配置している。
【０００５】
ここでＬＣＤ１４は、形状が矩形状に形成されたガラス板を本体として設けてあり、このＬＣＤ１４には電源ＯＮ表示、電波状態表示、電池レベル表示、および圏外表示などの様々な情報を表示している。
一方、キートップ１６は、ダイヤルするテンキーの他に複雑な操作を１つのキーで行えるように種々の操作キーを付加することで移動体通信端末の操作性を向上している。
このように従来の移動体通信端末は、ケース本体の内部に基板を設け、この基板上のスペースにＬＣＤ１４およびキートップ１６を設置することで駆動させていた。
【０００６】
【発明が解決しようとする課題】
しかしながら、従来の移動体通信端末では、同一基板上のＬＣＤとキートップとにおいて、ＬＣＤを大きくした場合、このＬＣＤにキートップのスペースが取られてしまいキートップの配置スペースが狭くなり種々の操作キーを付加することが不可能になる。一方、キートップを大きくした場合、このキートップにＬＣＤのスペースが取られてしまいＬＣＤの配置スペースが狭くなり種々の表示を狭い面積で行わなければならないため、液晶表示部が見づらくなるという問題点があった。
また、ケース本体には、操作キー、液晶表示部、マイク、およびスピーカが配置されるが、液晶表示部またはキートップのいずれかのスペースを大きくした場合は、これらの配置スペースの自由度が一層制限される問題点があった。
【０００７】
本発明は上述の課題を解決し、基板上でＬＣＤおよびキートップの十分な配置スペースが確保できＬＣＤの表示効果を向上できる移動体通信端末を提供することを目的とする。
【０００８】
【課題を解決するための手段】
本発明は上述の課題を解決するために、次のような手段を用いた。
（１）表示部を有した移動体通信端末において、
大面積の窓と小面積の窓とを設けたケースと、
矩形状の大面積部に１つまたは複数の矩形状の小面積部を加えた複数の面積部の表示部に分割して仕切られたＬＣＤと、を備え、
ＬＣＤの大面積部と小面積部とは、小面積部の隣部にスペース確保用の切り欠き部が設けられるように配置され、
ケースとＬＣＤとの間には、ＬＣＤの大面積部と小面積部の表示部を、ケースの大面積の窓と小面積の窓とから露出させる遮蔽部材を設け、
遮蔽部材は、ケースとＬＣＤとの間に形成される隙間を遮蔽する仕切り部を設けることにより、大面積部と小面積部との境からの光を遮蔽し、大面積部と小面積部からの互いの光が入光してそれぞれの表示を見づらくすることを防ぐ構成を備える移動体通信端末とした。
（２）(１)の移動体通信端末において、小面積部の隣部には、操作キーが配設されている。
（３）(１)の移動体通信端末において、ケースをＬＣＤ上に被せることにより、大面積の表示部と小面積の表示部とを分割して得るようにした。
（４）(１)の移動体通信端末において、遮蔽部材とケースとには、位置決め用の凹凸部を各々形成している。
（５）(１)〜(４)の移動体通信端末において、ＬＣＤは、フィルムＬＣＤを用いて形成した。
【０００９】
【発明の実施の形態】
次に添付図面を参照して本発明による移動体通信端末の実施の形態を詳細に説明する。図１は、携帯電話機に適用した本発明による移動体通信端末の実施の形態を示す斜視図である。また図２は、図１に示したＡ部の詳細を示す拡大図である。
【００１０】
図１に示すように、携帯電話機に適用した本発明による移動体通信端末の実施は、従来の移動体通信端末のように表面にスピーカ開口部１ａ、液晶表示部１ｂ、操作キー開口部１ｃ、およびマイク開口部１ｄなどを配設したフロントケース１を備えている。また、携帯電話機のケース本体は、フロントケース１とリアケース（図示せず）とを嵌合することで、形成している。
【００１１】
液晶表示部１ｂは、大面積の窓と小面積の窓とを設け、この大面積の窓と小面積の窓とを分割して各々仕切るように形成されている。また、操作キー開口部１ｃは、複数の開口部を縦横に配列させて設けてある。この液晶表示部１ｂと操作キー開口部１ｃには、ケース本体の内部で基板５の上部に設置されたＬＣＤ４と、キートップ６とを各々露出させている。このＬＣＤ４とキートップ６とは、同一の基板５上にお互いのスペースを確保して設置することで動作する。
【００１２】
ＬＣＤ４は、電気的に動作させるため基板５上に配線している。またＬＣＤ４は、従来の移動体通信端末とは異なり、表示面に大面積部４ａと、この大面積部４ａの近傍に小面積部４ｂとを備え、一体に形成した形状を備えている。このＬＣＤ４の表示面は、大面積部４ａと小面積部４ｂとを各々分割して表示するように形成している。またＬＣＤ４は、矩形状の表示部を切り欠いたような形状をしており、小面積部４ｂの横に、このような切り欠き部４ｃを備えている。このようなＬＣＤ４は、従来のようなガラス板からなる液晶表示部ではなく、フィルムＬＣＤを用いて形成している。フィルムＬＣＤは、一般に軽く、薄く形成することができ、様々な形状に形成することが容易で、割れにくい。このようにＬＣＤ４は、フィルムＬＣＤを用いることで携帯電話機本体の軽量化や薄型化、耐久性のアップ、スペースの有効化が図れる。従って、従来のようにＬＣＤ４は、ケース内部で矩形状の配置スペースを確保する必要がなくなる。
【００１３】
また、キートップ６は、従来の移動体通信端末とは異なり、ＬＣＤ４の切り欠き部４ｃにより基板５の上部に所定の配置スペースが確保できるため、従来のような操作キーに加えて新たに追加キー６ａを設けることができる。このキートップ６は、基板５上に設置して使用者により押されることで基板５とキートップ６が当接するように設けてあり、この当接により電気が流れて動作する。また追加キー６ａの位置は、使用者が移動体通信端末を把持し、端末を手で持ちながら容易になり操作しやすい位置に配置している。
【００１４】
また、フロントケース１とＬＣＤ４との間には、遮蔽部材２と弾性部材３とが装着されている。
遮蔽部材２は、ＬＣＤ４の大面積部４ａと小面積部４ｂとの境を遮蔽する仕切り部２ａと、この仕切り部２ａから外側に複数延長する凸部２ｂとを一体に形成している。また、仕切り部２ａを備える遮蔽部材２は、フロントケース１とＬＣＤ４との間に形成してしまう隙間を遮蔽するために設けてある。この遮蔽部材２の仕切り部２ａは、フロントケース１の液晶表示部１ｂからＬＣＤ４を見た際に、仕切り部２ａがないと大面積部４ａと小面積部４ｂとの境から互いの光が入光してそれぞれの表示が見づらくなることを防ぐためにある。また、この仕切りは、フロントケース１を延長して形成できるが、フロントケース１のカラー色がそのまま延長されて形成されるのでフロントケース１の色に影響される。従って、表示部１ｂ（４ａ、４ｂ）の表示を見易くするための適した色（例えば、黒）を自由に選択できなくなる。従って、遮蔽部材２は、フロントケース１とは別に形成することで表示に適した色を自由に選択できるようにしている。
【００１５】
また、凸部２ｂは、フロントケース１に設けた液晶表示部１ｂの裏側に凸部２ｂと嵌合する凹部（図示せず）を形成しており、遮蔽部材２が所定の位置に正確に設置できるようになっている。
また、弾性部材３は、遮蔽部材２がＬＣＤ４と当接してＬＣＤ４に傷がつかないように設置している。この弾性部材３は、スポンジなどの弾性を有した素材から形成されている。この弾性部材３は、遮蔽部材２に接着するために一面に両面テープを貼り付けている。
【００１６】
このように形成された携帯電話機に適用した本実施の携帯は、次のように組み立てられる。まず、フロントケース１の凹部に遮蔽部材２の凸部２ｂが嵌合するように遮蔽部材２を設置する。次に、遮蔽部材２に両面テープを貼り付ける。このようにフロントケース１の液晶表示部１ｂからＬＣＤ４の大面積部４ａと小面積部４ｂとの境近辺からの光を遮蔽する遮蔽部材２と、ＬＣＤ４を保護する弾性部材３を装着する。
次に、基板５上にＬＣＤ４を設置して配線するとともに、キートップ６も同時に設置する。基板５上にＬＣＤ４とキートップ６とを設置すると、この基板５をフロントケース１に装着する。この際、遮蔽部材２および弾性部材３の下部にＬＣＤ４が位置するように装着する。フロントケース１に基板５を装着すると、フロントケース１とリアケース（図示せず）とを嵌合することで携帯電話機のケース本体を形成する。
【００１７】
このように本発明による移動体通信端末によれば、図２に示すように、小面積部４ｂに例えば、電波状態表示または電池レベル表示などの表示を別に設けて表示効果を高めることができる。これにより使用者に種々の表示方法（例えば、図２に示すような段階式）でより必要とされる情報を強調させて伝えることができる。
以上、本発明による移動体通信端末の実施の形態を詳細に説明したが、本発明は上述した実施の形態に限定されるものではなく、その要旨を逸脱しない範囲で変更可能である。
【００１８】
例えば、本実施の形態では移動体通信端末として携帯電話機に適用した実施の形態を説明したが、これに限定されるものではなく、コードレス電話機の子機などにも適用してもよい。
また、本実施の形態においてＬＣＤは２分割され、大面積部４ａの表示部を上に小面積部４ｂの表示部を下に各々設けたが、図３に示すように、大面積部２４ａの表示部と小面積部２４ｂの表示部との上下位置を逆に設けて小面積部２４ｂの表示部を上に大面積部２４ａの表示部を下に各々設けてもよい。さらに、本実施の形態において表示部は２分割の場合を説明しているが、図４に示すよに大面積部３４ａの上下に小面積部３４ｂ、３４ｃを設けて３分割、或いは、それ以上に分割してもよい。
【００１９】
【発明の効果】
このように本発明の移動体通信端末によれば、基板上でキー入力部にかからないように表示部を配置しできるので、表示部の拡大によってキー入力部のスペースが狭まりキー操作がしずらくなることを防止できる。
また、移動体通信端末のキー入力部、表示部、マイク部、スピーカ部の配置に自由性が増すとともに、この配置を調整して機器の小型化が可能となる。
さらに、大面積部と小面積部が分割された表示部とすれば、情報を区別して表示することができるので、より必要とされる情報の確認が正確かつ容易となる。
【図面の簡単な説明】
【図１】本発明による移動体通信端末の実施の形態を示す斜視図。
【図２】図１に示したＡ部の詳細を示す拡大図。
【図３】本発明による移動体通信端末の他の実施の形態を示す斜視図。
【図４】本発明による移動体通信端末のさらに他の実施の形態を示す斜視図。
【図５】従来の移動体通信端末である携帯電話機を示す正面図。
【図６】図５に示した携帯電話機の内部部品を示す斜視図。
【図１】
0003661074.tif 000002
【図２】
0003661074.tif 000003
【図３】
0003661074.tif 000004
【図４】
0003661074.tif 000005
【図５】
0003661074.tif 000006
【図６】
0003661074.tif 000007